(57)【特許請求の範囲】
【請求項１】
電流が入力する第１の端子と前記入力された電流が帰還する第２の端子からなる１対の電流入力端子と、
前記１対の電流入力端子の間に実質的に接続され、前記１対の電流入力端子の間をスイッチングにより導通か非導通とすることが可能なスイッチング素子と、
前記スイッチング素子の一端に実質的に一端が接続された電圧降下素子と、
前記電圧降下素子の他端に実質的に接続された第３の端子と前記スイッチング素子の他端に実質的に接続された第４の端子とからなり、その一方が電流を出力する端子で他方が前記出力された電流が帰還する端子である１対の電流出力端子と、
前記電圧降下素子に実質的に並列に接続され、スイッチング制御入力端子を備えたリレー回路と、
前記スイッチング素子のスイッチング制御端子に実質的に接続された第１のスイッチング制御回路と、
前記リレー回路の前記スイッチング制御入力端子に実質的に接続された第２のスイッチング制御回路とを有し、
前記第２のスイッチング制御回路は、前記リレー回路へのスイッチング制御出力が、前記第１のスイッチング制御回路から前記スイッチング素子へのスイッチング制御出力と反対極性である
ことを特徴とする灯火制御装置。
【請求項２】
前記電圧降下素子は、オン状態とされたスイッチング素子であることを特徴とする請求項１記載の灯火制御装置。
【請求項３】
前記電圧降下素子は、逆並列接続された１対のダイオードであることを特徴とする請求項１記載の灯火制御装置。
【請求項４】
前記スイッチング素子は、双方向サイリスタであることを特徴とする請求項１記載の灯火制御装置。
【請求項５】
前記電圧降下素子は、オン状態とされた双方向サイリスタであることを特徴とする請求項１記載の灯火制御装置。
【請求項６】
前記電圧降下素子は、オン状態とされたＦＥＴであることを特徴とする請求項１記載の灯火制御装置。
【請求項７】
前記スイッチング素子は、ＦＥＴであることを特徴とする請求項１記載の灯火制御装置。
【請求項８】
前記電圧降下素子は、抵抗素子であることを特徴とする請求項１記載の灯火制御装置。
【発明の詳細な説明】
【０００１】
【発明の属する技術分野】
本発明は、空港の滑走路、誘導路などに設置される誘導灯、制御灯などの灯火に対してその点灯・消灯の制御等を行う灯火制御装置に係り、特に、灯火の消灯特性を向上するのに適する灯火制御装置に関する。
【０００２】
【従来の技術】
灯火制御装置は、航空機地上誘導監視システムの一部として用いられている。灯火の点灯・消灯の制御は、従来、次のような装置により行なわれている。
【０００３】
制御対象となる灯火は、滑走路、誘導路などに多数設置される。これら多数の灯火への点灯電力供給は、原理的に、単一の交流電流源（例えば６．６Ａ出力）からの直列供給による方法が用いられている。すなわち、灯火同士が直列に接続され、その直列接続の両端が定電流源により電流駆動される。実際には、それぞれの灯火について変流器を用いて電流‐電流変換をしてから灯火に電流供給を行なうが、直列接続の灯火に対する電流駆動であるという原理は変わらない。
【０００４】
さらに、それぞれの灯火について灯火制御回路が備えられ、これにより個々の灯火の点灯・消灯制御がなされる。点灯の場合は、入力され帰還する電流が灯火を経由するようにし、消灯の場合は、入力され帰還する電流を灯火からバイパスして灯火に電流が流れないようにする。このため、灯火と並列にスイッチング素子を挿入し、点灯の場合は、スイッチング素子をオフとし、消灯の場合はスイッチング素子をオンとする。
【０００５】
スイッチング素子のオン・オフの制御は、灯火制御装置にスイッチング制御信号発生回路を設け、これにより発生されたスイッチング制御信号により行なう。スイッチング制御信号発生回路にスイッチング制御信号の発生を促す指令は、灯火制御装置の外部に設けられた上位の制御装置から伝送される。上位の制御装置は、個々の灯火制御装置に対しておのおの所望の点灯・消灯のタイミングを指令する。
【０００６】
【発明が解決しようとする課題】
上記のような灯火制御装置において、スイッチング素子がオン状態とされ、入力電流が灯火からバイパスされて灯火が消灯制御されている場合を考える。スイッチング素子は、一般的に、オン状態においてもわずかな両端電圧が生じる。したがって、この両端電圧が灯火の両極間にも印加される。灯火の定格電力が小さくその両極間のインピーダンスが大きい場合は、灯火への流入電流はごく小さく問題を生じない。
【０００７】
しかし、灯火の定格電力が大きく両極間のインピーダンスが比較的小さい場合には、スイッチング素子のオン電圧の印加であっても、灯火へある程度大きな電流が流入してしまう。これにより、灯火を消灯制御しているにもかかわらず弱く点灯する事態が生じる。これは、灯火に対する点灯・消灯制御の品質低下であり避けるべき状態である。
【０００８】
本発明は、上記したような事情を考慮してなされたもので、灯火に対して消灯制御した場合にさらに確実に消灯させることが可能な灯火制御装置を提供することを目的とする。
【０００９】
【課題を解決するための手段】
上記の課題を解決するため、本発明は、電流が入力する第１の端子と前記入力された電流が帰還する第２の端子からなる１対の電流入力端子と、前記１対の電流入力端子の間に実質的に接続され、前記１対の電流入力端子の間をスイッチングにより導通か非導通とすることが可能なスイッチング素子と、前記スイッチング素子の一端に実質的に一端が接続された電圧降下素子と、前記電圧降下素子の他端に実質的に接続された第３の端子と前記スイッチング素子の他端に実質的に接続された第４の端子とからなり、その一方が電流を出力する端子で他方が前記出力された電流が帰還する端子である１対の電流出力端子と、前記電圧降下素子に実質的に並列に接続され、スイッチング制御入力端子を備えたリレー回路と、前記スイッチング素子のスイッチング制御端子に実質的に接続された第１のスイッチング制御回路と、前記リレー回路の前記スイッチング制御入力端子に実質的に接続された第２のスイッチング制御回路とを有し、前記第２のスイッチング制御回路は、前記リレー回路へのスイッチング制御出力が、前記第１のスイッチング制御回路から前記スイッチング素子へのスイッチング制御出力と反対極性であることを特徴とする。
【００１０】
入力電流を灯火からバイパスするためのスイッチング素子の一端には電圧降下素子が接続される。これにより、スイッチング素子がオン状態とされた場合に、スイッチング素子の両端電圧は、電圧降下素子と電流出力端子に接続された灯火とにより分担されて負担される。したがって、灯火に印加される電圧（つまりは、灯火に流入する電流）は電圧降下素子が電圧を担う分小さくなり、灯火はより確実に消灯される。また、電圧降下素子に加えてこれに並列にリレー回路を設けている。リレー回路のスイッチング制御は、スイッチング素子のスイッチング制御とは反対極性となるように設定される。これによっても、灯火の消灯制御においては、電圧降下素子の存在により、灯火に印加される電圧（つまりは、灯火に流入する電流）は電圧降下素子が電圧を担う分小さくなり、灯火はより確実に消灯される。なお、灯火の点灯制御においては、リレー回路のオンにより電圧降下素子に電流を流さずに済むので、電圧降下素子として小さな電流定格（電力定格）のものを用いることができる。
【００１１】
なお、「実質的に接続」とは、直接接続される場合を含みかつそのほかに、作用・効果に影響を及ぼさない限り別の要素を介して接続されている場合を排除しないという趣旨である。
【００１４】
【発明の実施の形態】
本発明の実施態様として、前記電圧降下素子は、オン状態とされたスイッチング素子である。すなわち、オン状態のスイッチング素子の両端に生じる電圧を、灯火への電流流入の軽減に用いるものである。このスイッチング素子には、双方向サイリスタやＦＥＴ（field effect transistor）を用いることができる。
【００１５】
また、本発明の実施態様として、前記電圧降下素子は、逆並列接続された１対のダイオードである。すなわち、ダイオードの順方向両端電圧を灯火への電流流入の軽減に用いるものである。逆並列にして用いるのは、交流電流が対象だからである。
【００１６】
また、本発明の実施態様として、電流入力端子間の電流をスイッチングする前記スイッチング素子には、双方向サイリスタやＦＥＴを例示することができる。
【００１７】
また、本発明の実施態様として、前記電圧降下素子と並列にリレー回路が接続される場合には、この電圧降下素子として抵抗素子を用いることができる。この抵抗素子には、灯火の点灯制御時に電流を流さずに済むので、そのときの無駄な電力消費を避けることができる。
【００１８】
以下では、本発明の実施形態を図面を参照しながら説明する。なお、図１ないし図８を参照する『』内の説明は、その記述にかかわらず本発明の実施形態の説明ではなく、参考例としての説明である。これらの参考例を踏まえて、そのあとに図９以下の図を参照して本発明の実施形態を説明することをあらかじめ断っておく。『図１は、本発明の第１の実施形態を示す構成図である。同図に示すように、この実施形態において灯火制御装置３には、電流出力側に灯火５が接続され、電流入力側は、変流器２の２次側が接続される。変流器２の１次側は、電流入力端子１に交流定電流源が接続され得る。変流器２は、一例として１：１の変成比のものを用いることができる。
【００１９】
なお、電流入力端子１は、灯火５ひとつの点灯・消灯を制御する灯火制御装置３ごとに１対が備えられるが、複数の灯火を点灯・消灯制御するためには、灯火ごとに灯火制御装置が備えられ、それらに具備される１対の電流入力端子１同士は、直列に接続される。すなわち、直列に接続された電流入力端子１の最も端部のもの同士間に定電流源が接続される。このような接続は電流駆動ならではのものである。定電流源は、空港設備では、一例として実効値６．６Ａのものが用いられている。
【００２０】
灯火制御装置３内部には、スイッチング素子６、電圧降下素子７、電流電圧変換回路８、スイッチング制御信号発生回路９、インターフェース１０が設けられる。
【００２１】
スイッチング素子６は、入力される電流を導通して灯火５側に電流を流入させない状態（消灯制御時）と、入力される電流を非導通として灯火５側に電流を供給する状態（点灯制御時）とを現出するように、１対の電流入力端子１間に実質的に配置結線される。
【００２２】
電圧降下素子７は、そこに流れる電流により電圧を降下させるものであり、例えば、抵抗素子、インダクター、またはダイオード等の半導体素子などである。電圧降下素子７は、スイッチング素子６の一端と電流出力端子の一方との間に接続される。電流出力端子の他方は、スイッチング素子６の他端に接続され、さらに電流電圧変換回路８を介して電流入力端子の一方に接続される。
【００２３】
電流電圧変換回路８は、この回路への入力電流（定電流）を電圧（定電圧）に変換（加えて必要ならば直流に変換）して出力し、灯火制御装置３内部における電源として機能するものである。出力される電圧は、スイッチング制御信号発生回路９やインターフェース１０に電源電圧として供給される。
【００２４】
スイッチング制御信号発生回路９は、その出力が、スイッチング素子６のスイッチング制御端子にスイッチング制御信号を供給すべく接続される。このスイッチング制御信号は、外部コントローラ４からの指令がインターフェース１０を介してスイッチング制御信号発生回路９に達することにより、そのタイミングなどが所望に発生される。インターフェース１０は、外部コントローラ４から伝送される信号を点灯制御装置３での内部処理に適する信号に整形するものである。スイッチング制御信号発生回路９は、さらに、デバイスとしてのスイッチング素子６の制御に適する信号を発生するものである。
【００２５】
以上のような構成において、灯火制御装置３の１対の入力端子の一方に入力した電流は、漏電のような異常状態がない限り必ず他方の端子から外部に帰還するという関係を有する。また、灯火制御装置３の１対の出力端子についても、同様に、その一方から出力された電流は正常には必ず他方の端子から内部に帰還するという関係を有する。
【００２６】
次に、灯火５を点灯制御するときと消灯制御するときの動作を説明する。点灯制御する場合には、外部コントローラ４からのその旨の指令信号がインターフェース１０を介してスイッチング制御信号発生回路９に達する。これにより、スイッチング制御信号発生回路９は、スイッチング素子６をオフとすべくスイッチング制御信号を発生する。
【００２７】
この状態では、スイッチング素子６が非導通であるので、灯火制御装置３の入力端子からの電流は、電圧降下素子７を介して出力端子に出力し灯火５を点灯させる電流となる。なお、電圧降下素子７は一般的には電流の流れにより電力消費するが、灯火５の駆動が定電流駆動なので灯火５の点灯状態には影響を及ぼさない。すなわち、灯火５の消費電力は、電流の二乗にそのインピーダンスを乗じた値であって電圧降下素子７の両端電圧には関係しない。
【００２８】
灯火５を消灯制御する場合には、外部コントローラ４からのその旨の指令信号がインターフェース１０を介してスイッチング制御信号発生回路９に達する。これにより、スイッチング制御信号発生回路９は、スイッチング素子６をオンとすべくスイッチング制御信号を発生する。
【００２９】
この状態では、スイッチング素子６が導通状態となり、灯火制御装置３の入力端子からの電流は、ほどんど灯火５の側へ流れることなくバイパスされる。より詳細にこの状態を説明すると、スイッチング素子６が導通状態であっても、わずかにその両端には電圧（オン電圧）が生じる。したがって、その電圧に従い灯火５の側にも電流が流れようとする。しかしながら、電圧降下素子７が存在するために、その電流は電圧降下素子７がない場合に比べそれ相当に小さくなる。
【００３０】
数値的な例を挙げると、スイッチング素子６のオン電圧を１Ｖ、電圧降下素子７のインピーダンスを灯火５の４倍とする。灯火５のインピーダンスは、その定格電流を６．６Ａ、定格電力を４５Ｗとすると、４５／（６．６）２を計算して約１Ωである。スイッチング素子６の両端電圧が１Ｖのときの電圧降下素子７のインピーダンスは約４Ωに設定される。
【００３１】
電圧降下素子７が存在しないときは、スイッチング素子６のオン電圧１Ｖにより灯火５には、約１Ａの電流が流れる。一方４Ωの電圧降下素子７が存在すると灯火５に流れる電流は約０．２Ａとなる。すなわち、定格時の電流が６．６Ａに対して消灯制御時に１Ａの電流が流れるのを、この例では、０．２Ａまで小さくすることができる。したがって、灯火５をより確実に消灯制御することができる。
【００３２】
次に、本発明の第２の実施形態を図２を参照して説明する。図２は、本発明の第２の実施形態を示す構成図である。同図において、すでに説明した構成要素には同一の番号を付しその説明を省略する。この実施形態における灯火制御装置３Ａは、第１の実施形態における電圧降下素子７に代えてスイッチング素子１１を有する。
【００３３】
スイッチング素子１１のスイッチング制御入力端子には、スイッチング制御信号発生回路９ａから信号が供給される。この信号は、より簡易には、常に（つまり灯火５の点灯制御時と消灯制御時ともに）スイッチング素子１１をオン状態とするような信号でよい。
【００３４】
点灯制御時には、スイッチング素子６がオフでスイッチング素子１１がオンであることから灯火５に電流が流される。消灯制御時には、スイッチング素子６がオンとなり、スイッチング素子１１もオンであることから、スイッチング素子１１が第１の実施形態における電圧降下素子７として機能する。スイッチング素子１１は、３端子の例えば半導体素子であるのでそのオン時の両端電圧を電圧降下分として機能させるものである。
【００３５】
数値的な例を挙げると、スイッチング素子６のオン電圧を１Ｖ、スイッチング素子１１のオン電圧を０．８Ｖとする。灯火５のインピーダンスは、その定格電流を６．６Ａ、定格電力を４５Ｗとすると、４５／（６．６）２を計算して約１Ωである。
【００３６】
消灯制御時において、スイッチング素子１１が存在しないときは、スイッチング素子６のオン電圧１Ｖにより灯火５には、約１Ａの電流が流れる。一方スイッチング素子１１が存在すると灯火５に流れる電流は、（１−０．８）／１を計算して約０．２Ａとなる。すなわち、定格時（点灯制御時）の電流が６．６Ａであるのに対して消灯制御時に１Ａの電流が流れるのを、この例では、０．２Ａまで小さくすることができる。したがって、灯火５をより確実に消灯制御することができる。
【００３７】
なお、この実施形態では、スイッチング制御信号発生回路９ａからスイッチング素子１１への信号を、消灯制御時のみこれをオフとするように発生させてもよい。ただし、この場合には、消灯制御時においてほとんど全く灯火５には電流が流れなくなるので灯火制御装置３Ａに灯火監視機能（灯火の断芯検出機能）を設ける場合には向かない。断芯で電流が流れないのと区別がつかないからである。
【００３８】
次に、本発明の第１の実施形態の具体的な例を図３を参照して説明する。図３は、本発明の第１の実施形態の具体的な例を示す構成図である。同図において、すでに説明した構成要素には同一の番号を付しその説明を省略する。
【００３９】
この例は、第１の実施形態におけるスイッチング素子６として具体的に双方向サイリスタ６ａを用い、電圧降下素子７として具体的に逆並列接続されたダイオード７ａを用いたものである。動作はすでに説明したものとほぼ同様である。双方向サイリスタ６ａの第１極、第２極間が電流の経路であり、ゲート電極にスイッチング制御信号発生回路９からスイッチング制御信号が供給される。双方向サイリスタ６ａがスイッチング素子６として用いられる以下で説明する他例の場合も同様の接続である。
【００４０】
このような構成では、電圧降下素子として逆並列されたダイオード７ａを用いることからその電流対電圧の非線形性により灯火５の点灯制御時においてその電圧降下は比較的小さい。かつそのときの消費電力も抵抗素子を用いるより小さく電力消費を抑える意味で好ましい。
【００４１】
次に、本発明の第２の実施形態の具体的な例を図４を参照して説明する。図４は、本発明の第２の実施形態の具体的な例を示す構成図である。同図において、すでに説明した構成要素には同一の番号を付しその説明を省略する。
【００４２】
この例は、第２の実施形態におけるスイッチング素子６として具体的に双方向サイリスタ６ａを用い、スイッチング素子１１として具体的に双方向サイリスタ１１ａを用いたものである。動作はすでに説明したものとほぼ同様である。双方向サイリスタ１１ａの第１極、第２極間が電流の経路であり、ゲート電極にスイッチング制御信号発生回路９ａから制御信号が供給される。双方向サイリスタ１１ａがスイッチング素子１１として用いられる以下で説明する他例の場合も同様の接続である。
【００４３】
この例では、双方向サイリスタ６ａのオン電圧より双方向サイリスタ１１ａのオン電圧の方が小さくなるように素子を選択すると、すでに述べた理由から灯火制御装置３Ａに灯火監視機能（灯火の断芯検出機能）を設ける場合に向く。
【００４４】
図５は、本発明の第２の実施形態の具体的な別の例を示す構成図である。同図において、すでに説明した構成要素には同一の番号を付しその説明を省略する。
【００４５】
この例は、第２の実施形態におけるスイッチング素子６として具体的に双方向サイリスタ６ａを用い、スイッチング素子１１として具体的にＦＥＴ１１ｂを用いたものである。動作はすでに説明したものとほぼ同様である。ＦＥＴ１１ｂのソース・ドレイン間が電流経路でありゲートにスイッチング制御信号発生回路９ａから制御信号が供給される。ＦＥＴ１１ｂがスイッチング素子１１として用いられる以下で説明する他例の場合も同様の接続である。なお、ＦＥＴ１１ｂのソース・ドレイン間には交流が流され電流の向きは交番する。
【００４６】
図６は、本発明の第１の実施形態の具体的な別の例を示す構成図である。同図において、すでに説明した構成要素には同一の番号を付しその説明を省略する。
【００４７】
この例は、第１の実施形態におけるスイッチング素子６として具体的にＦＥＴ６ｂを用い、電圧降下素子７として具体的に逆並列されたダイオード７ａを用いたものである。動作はすでに説明したものとほぼ同様である。ＦＥＴ６ｂのソース・ドレイン間が電流経路でありゲートにスイッチング制御信号発生回路９からスイッチング制御信号が供給される。ＦＥＴ６ｂがスイッチング素子６として用いられる以下で説明する他例の場合も同様の接続である。なお、ＦＥＴ６ｂのソース・ドレイン間には交流が流され電流の向きは交番する。
【００４８】
図７は、本発明の第２の実施形態の具体的なさらに別の例を示す構成図である。同図において、すでに説明した構成要素には同一の番号を付しその説明を省略する。
【００４９】
この例は、第２の実施形態におけるスイッチング素子６として具体的にＦＥＴ６ｂを用い、スイッチング素子１１として具体的に双方向サイリスタ１１ａを用いたものである。動作はすでに説明したものとほぼ同様である。
【００５０】
図８は、本発明の第２の実施形態の具体的なさらに別の例を示す構成図である。同図において、すでに説明した構成要素には同一の番号を付しその説明を省略する。
【００５１】
この例は、第２の実施形態におけるスイッチング素子６として具体的にＦＥＴ６ｂを用い、スイッチング素子１１として具体的にＦＥＴ１１ｂを用いたものである。動作はすでに説明したものとほぼ同様である。』
【００５２】
次に、本発明の第３の実施形態を図９を参照して説明する。図９は、本発明の第３の実施形態を示す構成図である。同図において、すでに説明した構成要素には同一の番号を付しその説明を省略する。この実施形態における灯火制御装置３Ｂは、電圧降下素子７に並列にリレー回路１２が付加され、リレー回路１２を制御する信号がスイッチング制御信号発生回路９ｂから供給される。
【００５３】
リレー回路１２を上記のように設ける理由は、灯火５の点灯制御時に電圧降下素子７に流れる電流をバイパスしてこれを小さくするためである。これにより、電圧降下素子７として電流定格の小さいものを使用することができる。
【００５４】
灯火５を点灯制御するときと消灯制御するときの動作を説明する。点灯制御する場合には、外部コントローラ４からのその旨の指令信号がインターフェース１０を介してスイッチング制御信号発生回路９ｂに達する。これにより、スイッチング制御信号発生回路９ｂは、スイッチング素子６をオフとすべくスイッチング制御信号を発生する。一方、スイッチング制御信号発生回路９ｂは、リレー回路１２に対しては、これをオンとすべくスイッチング制御信号を発生する。
【００５５】
この状態では、スイッチング素子６が非導通で灯火制御装置３Ｂの入力端子からの電流は、リレー回路１２を介して出力端子に出力し灯火５を点灯させる電流となる。電圧降下素子７の両端にはオン状態のリレー回路１２が並列接続されるので、電圧降下素子７にはほとんど電流が流れない。これがこの実施形態の特徴である。
【００５６】
灯火５を消灯制御する場合には、外部コントローラ４からのその旨の指令信号がインターフェース１０を介してスイッチング制御信号発生回路９ｂに達する。これにより、スイッチング制御信号発生回路９ｂは、スイッチング素子６をオンとすべくスイッチング制御信号を発生する。一方、スイッチング制御信号発生回路９ｂは、リレー回路１２に対しては、これをオフとすべくスイッチング制御信号を発生する。
【００５７】
この状態では、スイッチング素子６が導通状態となり、灯火制御装置３Ｂの入力端子からの電流は、ほどんど灯火５の側へ流れることなくバイパスされる。より詳細に述べると、すでに第１の実施形態で説明したように、スイッチング素子６が導通状態であっても、わずかにその両端には電圧（オン電圧）が生じる。したがって、その電圧に従い灯火５の側にも電流が流れようとする。しかしながら、電圧降下素子７が存在するために、その電流は電圧降下素子７がない場合に比べそれ相当に小さくなる。
【００５８】
なお、このときリレー回路１２はオフであるため何ら動作には影響を及ぼさない。したがって、第１の実施形態と同様に、灯火５をより確実に消灯制御することができる。ちなみに、上記で述べたように、スイッチング素子６のオンオフ状態とリレー回路１２のオンオフ状態とは常に反対に制御される関係になっている。
【００５９】
次に、本発明の第４の実施形態を図１０を参照して説明する。図１０は、本発明の第４の実施形態を示す構成図である。同図において、すでに説明した構成要素には同一の番号を付しその説明を省略する。この実施形態における灯火制御装置３Ｃは、第３の実施形態における電圧降下素子７に代えてスイッチング素子１１を有する。
【００６０】
スイッチング素子１１のスイッチング制御入力端子には、スイッチング制御信号発生回路９ｃから信号が供給される。この信号は、すでに第２の実施形態において説明したのと同様に、より簡易には、常に（つまり灯火５の点灯制御時と消灯制御時ともに）スイッチング素子１１をオン状態とするような信号でよい。
【００６１】
これにより、点灯制御時には、スイッチング素子６がオフでスイッチング素子１１がオン、かつリレー回路１２がオンであることからリレー回路１２により灯火５に電流が流される。消灯制御時には、スイッチング素子６がオンとなり、スイッチング素子１１がオン、リレー回路１２がオフであることから、スイッチング素子１１が第３の実施形態における電圧降下素子７として機能する。
【００６２】
以上説明のように、この実施形態は、第１の実施形態に対する第２、第３の実施形態の特徴をいずれも有するものである。作用および効果としても第１、第２、第３の実施形態のものをいずれも有する。
【００６３】
図１１、図１４、図１５、図１８は、それぞれ、本発明の第３の実施形態の具体的な例を示す構成図である。図１２、図１３、図１６、図１７は、それぞれ、本発明の第４の実施形態の具体的な例を示す構成図である。これらの図において、すでに説明した構成要素には同一の番号を付しその説明を省略する。
【００６４】
これらの図に示されるように、電圧降下素子７としては、逆並列接続のダイオード７ａや抵抗素子７ｂの使用が好適であり、スイッチング素子１１としては、双方向サイリスタ１１ａやＦＥＴ１１ｂの使用が好適である。特に、電圧降下素子７として抵抗素子７ｂを設けた場合にも灯火５の点灯制御時に抵抗素子７ｂでの電力消費がほとんど生じず、電流定格（電力定格）の小さいものを使用できるとともに無駄な電力消費が生じることがないという利点がある。
【００６５】
【発明の効果】
以上詳述したように、本発明によれば、入力電流を灯火からバイパスするためのスイッチング素子の一端には電圧降下素子が接続される。これにより、スイッチング素子がオン状態とされた場合に、スイッチング素子の両端電圧は、電圧降下素子と電流出力端子に接続された灯火とにより分担されて負担される。したがって、灯火に印加される電圧（つまりは、灯火に流入する電流）は電圧降下素子が電圧を担う分小さくなり、灯火はより確実に消灯される。
【図面の簡単な説明】
【図１】  参考例としての構成図。
【図２】  別の参考例としての構成図。
【図３】  図１の具体的な例を示す構成図。
【図４】  図２の具体的な例を示す構成図。
【図５】  図２の具体的な別の例を示す構成図。
【図６】  図１の具体的な別の例を示す構成図。
【図７】  図２の具体的なさらに別の例を示す構成図。
【図８】  図２の具体的なさらに別の例を示す構成図。
【図９】  本発明の第１の実施形態を示す構成図。
【図１０】  本発明の第２の実施形態を示す構成図。
【図１１】  本発明の第１の実施形態の具体的な例を示す構成図。
【図１２】  本発明の第２の実施形態の具体的な例を示す構成図。
【図１３】  本発明の第２の実施形態の具体的な別の例を示す構成図。
【図１４】  本発明の第１の実施形態の具体的な別の例を示す構成図。
【図１５】  本発明の第１の実施形態の具体的なさらに別の例を示す構成図。
【図１６】  本発明の第２の実施形態の具体的なさらに別の例を示す構成図。
【図１７】  本発明の第２の実施形態の具体的なさらに別の例を示す構成図。
【図１８】  本発明の第１の実施形態の具体的なさらに別の例を示す構成図。
【符号の説明】
１…電流入力端子  ２…変流器  ３、３Ａ、３Ｂ、３Ｃ…灯火制御装置  ４…外部コントローラ  ５…灯火  ６…スイッチング素子  ６ａ…双方向サイリスタ  ６ｂ…ＦＥＴ  ７…電圧降下素子  ７ａ…逆並列接続ダイオード  ７ｂ…抵抗素子  ８…電流電圧変換回路  ９、９ａ、９ｂ、９ｃ…スイッチング制御信号発生回路  １０…インターフェース  １１…スイッチング素子  １１ａ…双方向サイリスタ  １１ｂ…ＦＥＴ  １２…リレー回路
【図１】
0003999963.tif 000002
【図２】
0003999963.tif 000003
【図３】
0003999963.tif 000004
【図４】
0003999963.tif 000005
【図５】
0003999963.tif 000006
【図６】
0003999963.tif 000007
【図７】
0003999963.tif 000008
【図８】
0003999963.tif 000009
【図９】
0003999963.tif 000010
【図１０】
0003999963.tif 000011
【図１１】
0003999963.tif 000012
【図１２】
0003999963.tif 000013
【図１３】
0003999963.tif 000014
【図１４】
0003999963.tif 000015
【図１５】
0003999963.tif 000016
【図１６】
0003999963.tif 000017
【図１７】
0003999963.tif 000018
【図１８】
0003999963.tif 000019